【手続補正書】
【提出日】平成19年2月28日(2007.2.28)
【手続補正１】
【補正対象書類名】明細書
【補正対象項目名】請求項１
【補正方法】変更
【補正の内容】
【請求項１】 画像データを符号化する複数の画像符号化手段と、各画像符号化手段の出力データを多重化する多重化手段とを備えたシステムに用いられ、各画像符号化手段に対して単位時間当たりの目標発生符号量としての目標符号レートを設定して各画像符号化手段を制御する統計多重制御装置であって、
各画像データの符号化の難易度を表す符号化難易度を取得し、取得した符号化難易度に基づき、それぞれの画像データの目標符号レートを、その総和が所定の許容値内に収まるように設定する目標符号レート設定手段と、
前記画像データがプルダウン処理されたデータか否かを判定するプルダウン判定手段と、
前記プルダウン判定手段が、プルダウン処理されたデータと判定した場合に、前記目標符号レート設定手段によって設定された目標符号レートを一定条件のもとで修正する符号レート修正手段と
を備えたことを特徴とする統計多重制御装置。
【手続補正２】
【補正対象書類名】明細書
【補正対象項目名】請求項６
【補正方法】変更
【補正の内容】
【請求項６】  画像データを符号化する画像符号化装置であって、
複数の画像符号化装置の出力データを多重化する多重化手段と、各画像符号化装置に対して単位時間当たりの目標発生符号量としての目標符号レートを設定して各画像符号化装置を制御する統計多重制御手段とを備えたシステムに用いられ、
前記画像データがプルダウン処理されたデータか否かを判定するプルダウン判定手段と、
前記プルダウン判定手段が、プルダウン処理されたデータと判定した場合に、前記統計多重制御手段によって設定された目標符号レートを一定条件のもとで修正する符号レート修正手段と
を備えたことを特徴とする画像符号化装置。
【手続補正３】
【補正対象書類名】明細書
【補正対象項目名】請求項１１
【補正方法】変更
【補正の内容】
【請求項１１】 画像データを符号化する複数の画像符号化手段と、
各画像符号化手段の出力データを多重化する多重化手段と、
各画像符号化手段に対して単位時間当たりの目標発生符号量としての目標符号レートを設定して各画像符号化手段を制御する統計多重制御手段と、
各画像データの符号化の難易度を表す符号化難易度を取得し、取得した符号化難易度に基づき、それぞれの画像データの目標符号レートを、その総和が所定の許容値内に収まるように設定する目標符号レート設定手段と、
前記画像データがプルダウン処理されたデータか否かを判定するプルダウン判定手段と、
前記プルダウン判定手段が、プルダウン処理されたデータと判定した場合に、前記目標符号レート設定手段によって設定された目標符号レートを一定条件のもとで修正する符号レート修正手段と
を備えたことを特徴とする統計多重システム。
【手続補正４】
【補正対象書類名】明細書
【補正対象項目名】請求項１６
【補正方法】変更
【補正の内容】
【請求項１６】 画像データを符号化する複数の画像符号化手段と、各画像符号化手段の出力データを多重化する多重化手段とを備えたシステムに用いられ、各画像符号化手段に対して単位時間当たりの目標発生符号量としての目標符号レートを設定して各画像符号化手段を制御する統計多重制御方法であって、
各画像データの符号化の難易度を表す符号化難易度を取得し、取得した符号化難易度に基づき、それぞれの画像データの目標符号レートを、その総和が所定の許容値内に収まるように設定する目標符号レート設定ステップと、
前記画像データが、プルダウン処理されたデータか否かを判定する判定ステップと、
前記プルダウン判定ステップにおいてプルダウン処理されたデータと判定した場合に、前記目標符号レート設定ステップにおいて設定された目標符号レートを一定条件のもとで修正する符号レート修正ステップと
を含むことを特徴とする統計多重制御方法。
【手続補正５】
【補正対象書類名】明細書
【補正対象項目名】請求項１７
【補正方法】変更
【補正の内容】
【請求項１７】 画像データを符号化する複数の画像符号化手段と、各画像符号化手段の出力データを多重化する多重化手段と、各画像符号化手段に対して単位時間当たりの目標発生符号量としての目標符号レートを設定して各画像符号化手段を制御する統計多重制御手段とを備えたシステムで用いられる符号化方法であって、
前記画像データが、プルダウン処理されたデータか否かを判定する判定ステップと、
前記プルダウン判定手段が、プルダウン処理されたデータと判定した場合に、前記統計多重制御手段によって設定された目標符号レートを一定条件のもとで修正する符号レート修正ステップと
を備えたことを特徴とする符号化方法。
【手続補正６】
【補正対象書類名】明細書
【補正対象項目名】０００１
【補正方法】変更
【補正の内容】
【０００１】
【発明の属する技術分野】
本発明は、画像データを符号化し、これらを多重化するための統計多重制御装置、画像符号化装置並びに統計多重システム、および、この統計多重システムにおいて用いられる統計多重制御方法並びに符号化方法に関するものである。
【手続補正７】
【補正対象書類名】明細書
【補正対象項目名】００１２
【補正方法】変更
【補正の内容】
【００１２】
【課題を解決するための手段】
本発明による統計多重制御装置は、画像データを符号化する複数の画像符号化手段と、各画像符号化手段の出力データを多重化する多重化手段とを備えたシステムに用いられ、各画像符号化手段に対して単位時間当たりの目標発生符号量としての目標符号レートを設定して各画像符号化手段を制御する統計多重制御装置であって、各画像データの符号化の難易度を表す符号化難易度を取得し、取得した符号化難易度に基づき、それぞれの画像データの目標符号レートを、その総和が所定の許容値内に収まるように設定する目標符号レート設定手段と、画像データがプルダウン処理されたデータか否かを判定するプルダウン判定手段と、プルダウン判定手段がプルダウン処理されたデータと判定した場合に、目標符号レート設定手段によって設定された目標符号レートを一定条件のもとで修正する符号レート修正手段とを備えたことを特徴とするものである。
【手続補正８】
【補正対象書類名】明細書
【補正対象項目名】００１３
【補正方法】変更
【補正の内容】
【００１３】
また、本発明による画像符号化装置は、画像データを符号化する画像符号化装置であって、複数の画像符号化装置の出力データを多重化する多重化手段と、各画像符号化装置に対して単位時間当たりの目標発生符号量としての目標符号レートを設定して各画像符号化装置を制御する統計多重制御手段とを備えたシステムに用いられ、画像データがプルダウン処理されたデータか否かを判定するプルダウン判定手段と、プルダウン判定手段がプルダウン処理されたデータと判定した場合に、統計多重制御手段によって設定された目標符号レートを一定条件のもとで修正する符号レート修正手段とを備えたことを特徴とするものである。
【手続補正９】
【補正対象書類名】明細書
【補正対象項目名】００１４
【補正方法】変更
【補正の内容】
【００１４】
さらに、本発明による統計多重システムは、画像データを符号化する複数の画像符号化手段と、各画像符号化手段の出力データを多重化する多重化手段と、各画像符号化手段に対して単位時間当たりの目標発生符号量としての目標符号レートを設定して各画像符号化手段を制御する統計多重制御手段と、各画像データの符号化の難易度を表す符号化難易度を取得し、取得した符号化難易度に基づき、それぞれの画像データの目標符号レートを、その総和が所定の許容値内に収まるように設定する目標符号レート設定手段と、画像データがプルダウン処理されたデータか否かを判定するプルダウン判定手段と、プルダウン判定手段がプルダウン処理されたデータと判定した場合に目標符号レート設定手段によって設定された目標符号レートを一定条件のもとで修正する符号レート修正手段とを備えたことを特徴とするものである。
【手続補正１０】
【補正対象書類名】明細書
【補正対象項目名】００１５
【補正方法】変更
【補正の内容】
【００１５】
また、本発明による統計多重制御方法は、各画像データの符号化の難易度を表す符号化難易度を取得し、取得した符号化難易度に基づき、それぞれの画像データの目標符号レートを、その総和が所定の許容値内に収まるように設定する目標符号レート設定ステップと、画像データがプルダウン処理されたデータか否かを判定する判定ステップと、プルダウン判定ステップにおいてプルダウン処理と判定した場合に目標符号レート設定手段によって設定された目標符号レートを一定条件のもとで修正する符号レート修正ステップとを含むことを特徴とするものである。
【手続補正１１】
【補正対象書類名】明細書
【補正対象項目名】００１６
【補正方法】変更
【補正の内容】
【００１６】
さらに、本発明による符号化方法は、画像データがプルダウン処理されたデータか否かを判定するプルダウン判定ステップと、プルダウン判定ステップにおいてプルダウン処理中と判定された場合に統計多重制御手段によって設定された目標符号レートを一定条件のもとで修正する符号レート修正ステップとを含むことを特徴とするものである。
【手続補正１２】
【補正対象書類名】明細書
【補正対象項目名】００１７
【補正方法】変更
【補正の内容】
【００１７】
本発明による統計多重制御装置、画像符号化装置、統計多重システム、統計多重制御方法および符号化方法によれば、各画像データの符号化の難易度を表す符号化難易度を取得し、取得した符号化難易度に基づいて目標符号レートが設定されると共にプルダウン処理が行われている場合には、目標符号レートが一定条件のもとで修正される。
【手続補正１３】
【補正対象書類名】明細書
【補正対象項目名】００１９
【補正方法】変更
【補正の内容】
【００１９】
図１は、本発明の一実施の形態に係る統計多重制御装置としてのコントローラ、画像データを含む複数の番組データを符号化する複数の画像符号化手段としての画像符号化装置および各画像符号化手段の出力データを多重化する多重化手段としての多重化装置を含む統計多重システムの構成例を示すブロック図である。この統計多重システム１は、それぞれ、本発明における番組データとしてのプログラムＳi （ｉは１以上の整数値）を入力し、圧縮符号化する複数の画像符号化装置２i と、各画像符号化装置２i に対してフィードフォワード型のビットレート制御を行う本実施の形態に係る統計多重制御装置としてのコントローラ３と、各画像符号化装置２i よりそれぞれ出力される圧縮符号化データＳｔi を多重化して、伝送路に対して画像データＳm を出力する多重化手段としての多重化装置４とを備えている。
【手続補正１４】
【補正対象書類名】明細書
【補正対象項目名】００５４
【補正方法】変更
【補正の内容】
【００５４】
【発明の効果】
以上説明したように、請求項１ないし請求項５のいずれか１に記載の統計多重制御装置、請求項６ないし請求項１０のいずれか１に記載の画像符号化装置、請求項１１ないし請求項１５のいずれか１に記載の統計多重システム、請求項１６記載の統計多重制御方法または請求項１７記載の符号化方法によれば、各画像データの符号化の難易度に基づいて目標符号レートを設定すると共に、プルダウン処理を行っている場合には目標符号レートを一定条件のもとで修正するようにしたので、オーバーフローを抑制することができるという効果を奏する。